(57)【要約】【課題】リサイクルトナーを使用した場合においても、ケーシングの現像領域下流側における異物の堆積を防止し、気流の乱れにより発生するトナーやキャリアの飛散を抑制可能な現像装置を提供する。【解決手段】現像剤担持体８１、８２を回転させながらトナー及びキャリアからなる現像剤で磁気ブラシを形成し、像担持体上５４の潜像を現像する現像装置８０において、前記トナーは、リサイクルトナーを含み、現像剤が収容され、開口部８６が形成されたケーシング９４を備え、ケーシング９４は、現像剤担持体８２の主極となる永久磁石よりも回転方向下流側位置かつ開口部８６近傍に配置された補助極となる永久磁石と対向する位置に、現像剤担持体８２との間隙長さが異なる段差部４０を有し、段差部４０の像担持体５４から離れる方向の端部に、現像剤担持体８２の回転に対して連れ回り方向に回転する回転部材４５を有する現像装置。【選択図】図２
2014167523.tif 000002
【特許請求の範囲】
【請求項１】
主極と補助極とを構成する複数の永久磁石が内蔵された現像剤担持体を回転させながら、前記主極の磁界によりトナー及びキャリアからなる現像剤で磁気ブラシを形成し、像担持体上の潜像を現像する現像装置において、
前記トナーは、リサイクルトナーを含み、
前記現像剤が収容され、前記像担持体に対向する部分で前記現像剤担持体を露出させるように開口部が形成されたケーシングを備え、
前記ケーシングは、前記現像剤担持体の前記主極となる永久磁石よりも回転方向下流側位置かつ前記開口部の近傍に配置された前記補助極となる永久磁石と対向する位置に、前記現像剤担持体との間隙長さが異なる段差部を有し、前記段差部の前記像担持体から離れる方向の端部に、前記現像剤担持体の回転に対して連れ回り方向に回転する回転部材を有することを特徴とする現像装置。
【請求項２】
前記回転部材が、ブラシローラであることを特徴とする請求項１に記載の現像装置。
【請求項３】
前記回転部材の回転を制御する制御手段を備え、
前記制御手段は、前記トナー中に含まれるリサイクルトナー率に応じて前記回転部材の回転数を変化させることを特徴とする請求項１または２に記載の現像装置。
【請求項４】
請求項１から３のいずれかに記載の現像装置を備えることを特徴とする画像形成装置。
【請求項５】
請求項１から３のいずれかに記載の現像装置を備え、画像形成装置の本体に着脱自在に配設されることを特徴とするプロセスカートリッジ。
【発明の詳細な説明】
【技術分野】
【０００１】
本発明は、現像装置、該現像装置を備えるプロセスカートリッジ、及び前記現像装置を備える画像形成装置に関する。
【背景技術】
【０００２】
複写機、プリンタ、ファクシミリ等の電子写真方式を用いた画像形成装置においては、潜像担持体である感光体上に形成された静電潜像が現像装置から供給される現像剤によって可視像処理される。可視像処理された画像は、被記録媒体に転写され、定着されることで複写出力とされる。
【０００３】
静電潜像の可視像処理に用いられる現像装置としては、トナーのみを用いた一成分系現像剤を用いる構成の他に、トナーをキャリアに付着させた二成分系現像剤を用いる構成が知られている。
【０００４】
二成分系現像剤を用いる現像装置としては、複数の磁極を内蔵した現像担持体としての現像スリーブ表面に、トナーと磁性キャリアとを含む二成分系現像剤を穂立ちさせて磁気ブラシを形成する構成（磁気ブラシ現像装置）がよく知られている。
磁気ブラシを表面に担持している現像スリーブを回転させ、該磁気ブラシを潜像担持体である感光体ドラムの表面に形成されている静電潜像に接触させることにより、静電潜像との間に生じる静電引力によって現像剤中のトナーが静電潜像に転移して現像される。
【０００５】
磁気ブラシを表面に担持している現像スリーブが回転すると、磁気ブラシに引きずられてスリーブ周辺の空気が現像スリーブの回転軸を中心とした方向の旋回流（空気流）が生じる。この空気流は、磁気ブラシの移動に伴い感光体の現像領域を通過した後、現像スリーブの収容ケースの端部に至る。現像スリーブの収容ケースの端部においては、ケーシングとケーシング近傍の補助極により形成される磁気ブラシにより密閉されるため、発生した空気流が磁気ブラシに衝突して噴出し、気流となって浮遊トナーを画像形成装置本体内に飛散させてしまうことがあった。そこで、この現象による汚染を解決しようとする技術が提案されている（例えば、特許文献１参照）。
【０００６】
特許文献１には、現像担持体となる現像ローラの回転下流方向に位置し、現像装置のケーシングの開口部の近傍の補助極が形成する磁気ブラシの突出方向に凹む凹構造を有する現像装置が開示されている。該凹構造を有する現像装置は、圧力抜き空間を形成する形状を最適化し、この領域での流速の増加を抑制することで、磁気ブラシの挙動と局所的なケーシングとの相互作用によってケーシングの開口部に向けて発生する噴出し気流の流量を抑制し、結果的に離脱したトナーやキャリアの飛散を抑制可能であることが記載されている。
【発明の概要】
【発明が解決しようとする課題】
【０００７】
一方、感光体ドラム上の現像されたトナー像が被記録媒体（例えば、転写紙など）に転写された後、転写されなかったトナー（未転写トナー）は、次の現像に備え一様に感光体上を帯電する帯電工程に影響を与えないためにクリーニング装置により掻き取られる。掻き取られたトナーは、廃棄トナーとして廃棄処分されるか、回収処理される。
【０００８】
未転写トナーであっても、現像に適したトナー成分であることから、その全てもしくは一部を破棄せずに現像装置へ戻して再利用するトナーリサイクル機構が提案されている。
トナーを再利用することによって、廃棄トナーが減少すると共に、トナーボトル1本あたりのコピー量が増大し、コピーの低コスト化、廃棄トナーの減少による環境対応が可能となるメリットがある。
【０００９】
しかしながら、リサイクルトナーには紙粉などの異物が混入しているため、特許文献１に記載の装置においてリサイクルトナーを使用した場合、凹構造部に紙粉などの異物が堆積し、十分な圧力差が生じないことがある。このように、十分な圧力差が生じないことにより安定した吸い込み気流が発生せず、トナーやキャリアの飛散が生じることがある。
【００１０】
そこで、本発明は上記課題を鑑み、リサイクルトナーを使用した場合においても、ケーシングの現像領域下流側における異物の堆積を防止し、気流の乱れにより発生するトナーやキャリアの飛散を抑制可能な現像装置を提供することを目的とする。
【課題を解決するための手段】
【００１１】
上記課題を解決するために、本発明に係る現像装置は、主極と補助極とを構成する複数の永久磁石が内蔵された現像剤担持体を回転させながら、前記主極の磁界によりトナー及びキャリアからなる現像剤で磁気ブラシを形成し、潜像担持体上の潜像を現像する現像装置において、前記トナーは、リサイクルトナーを含み、前記現像剤が収容され、前記像担持体に対向する部分で前記現像剤担持体を露出させるように開口部が形成されたケーシングを備え、前記ケーシングは、前記現像剤担持体の前記主極となる永久磁石よりも回転方向下流側位置かつ前記開口部の近傍に配置された前記補助極となる永久磁石と対向する位置に、前記現像剤担持体との間隙長さが異なる段差部を有し、前記段差部の前記像担持体から離れる方向の端部に、前記現像剤担持体の回転に対して連れ回り方向に回転する回転部材を有することを特徴とする現像装置である。
【発明の効果】
【００１２】
本発明によれば、リサイクルトナーを使用した場合においても、ケーシングの現像領域下流側における異物の堆積を防止し、気流の乱れにより発生するトナーやキャリアの飛散を抑制可能な現像装置を提供することができる。
【図面の簡単な説明】
【００１３】
【図１】本実施形態に係る現像装置を備える画像形成装置の一例を示す全体構成図である。
【図２】本実施形態に係る現像装置を備えるプロセスカートリッジの一例を示す構成図である
【図３】図２に示すプロセスカートリッジの部分拡大図である。
【図４】本実施形態の現像装置におけるケーシングの段差部を含む部分拡大図である。
【図５】本実施形態の現像装置におけるケーシングの段差部を含む部分拡大図（Ａ）、及び回転部材の制御の流れ（Ｂ）である。
【図６】回転部材の制御の条件の一例を示した表である。
【図７】従来の現像装置におけるケーシングの段差部を含む部分拡大図である。
【図８】従来の現像装置におけるケーシングの段差部を含む部分拡大図である。
【発明を実施するための形態】
【００１４】
以下、本発明に係る現像装置、プロセスカートリッジ及び画像形成装置について図面を参照して説明する。なお、本発明は以下に示す実施例の実施形態に限定されるものではなく、他の実施形態、追加、修正、削除など、当業者が想到することができる範囲内で変更することができ、いずれの態様においても本発明の作用・効果を奏する限り、本発明の範囲に含まれるものである。
【００１５】
図１に、本実施形態の画像形成装置全体の構成及び動作について説明する。
図１に示す画像形成装置５０は、現像装置８０から吸引・排出されたトナーを収容する廃トナータンク１２２を備えるデジタル複写機である。
【００１６】
画像形成装置５０の上部には、セットされた原稿Ｄを原稿読込部５２に搬送する原稿搬送部５１、原稿Ｄの画像情報を光学的に読み込む原稿読込部５２が備えられている。
露光部５３は、原稿読込部５２で読み込んだ画像情報に基づいた露光光Ｌを、像担持体としての感光体ドラム５４上に照射する。
【００１７】
露光部５３の下部には、感光体ドラム５４上を帯電する帯電部５５、感光体ドラム５４上に形成されたトナー像を記録媒体Ｐに転写する転写部５８、感光体ドラム５４上の未転写トナーを回収するクリーニング部５９、及び感光体ドラム５４上に形成された静電潜像を現像する現像装置８０を備える。
【００１８】
本実施形態においては、現像装置８０と感光体ドラム５４とを装置本体に対してそれぞれ独立して着脱自在に配設されるプロセスカートリッジとしているが、現像装置８０と感光体ドラム５４とを一体に連結した態様としてもよい。また、現像装置８０と感光体ドラム５４と共に、帯電部５５及びクリーニング部５９を一体化（ユニット化）してプロセスカートリッジを構成することもできる。
【００１９】
画像形成装置の下方には、転写紙等の記録媒体Ｐが収納された給紙部６１〜６４、記録媒体Ｐ上の未定着トナーを定着する定着部６５、現像装置８０内の気体を吸気する吸気装置７０、複数のトナーボトル１２１が設置されたトナーバンク１２０、及びクリーニング部５９や転写部５８で回収された廃トナーを収納する廃トナーボトル１２２を備える。
【００２０】
図１に示す画像形成装置における、通常の画像形成時の動作について説明する。
まず、原稿Ｄは、原稿搬送部５１の搬送ローラによって原稿台から図中の矢印方向に搬送され、原稿読込部５２上を通過する。このとき原稿読込部５２では、上方を通過する原稿Ｄの画像情報が光学的に読み取られる。
そして、原稿読込部５２で読み取られた光学的な画像情報は、電気信号に変換された後、露光部５３（書込部）に送信される。そして、露光部５３からは、電気信号の画像情報に基づいたレーザ光等の露光光Ｌが、感光体ドラム５４上に向けて発せられる。
【００２１】
一方、感光体ドラム５４は、図中の時計方向に回転しており、帯電部５５との対向位置でその表面が一様に帯電される。帯電部５５で帯電された感光体ドラム５４表面は、露光光Ｌの照射位置に達すると、その位置で原稿Ｄの画像情報に対応した静電潜像が形成される。潜像が形成された感光体ドラム５４の表面は、回転して現像装置８０との対向位置に達し、現像装置８０により現像される。
【００２２】
ここで、現像装置８０内のトナーは、トナー補給部から供給されたトナーとともに、パドルローラ等によってキャリアと混合される。そして、摩擦帯電したトナーは、キャリアとともに現像剤担持体（現像ローラ）上に供給される。
トナー補給部のトナーは、現像装置８０内のトナーの消費にともない、現像装置８０内に適宜に供給されるものである。現像装置８０内のトナーの消費は、現像装置８０内に設置されたトナー濃度センサによって検出される。さらに、トナー補給部内のトナーは、複数のトナーボトル１２１が着脱自在に設置されたトナーバンク１２０から適宜に補給されるものである。
【００２３】
現像装置８０で現像された感光体ドラム５４の表面は、転写部５８との対向位置に達すると、その位置で感光体ドラム５４上のトナー像が記録媒体Ｐ上に転写される。
転写が行われた後、感光体ドラム５４上には、記録媒体Ｐに転写されない未転写トナーが僅かながら残存する。
【００２４】
その後、転写部５８を通過した未転写トナーを有する感光体ドラム５４表面は、クリーニング部５９との対向位置に達する。そして、感光体ドラム５４に当接するクリーニングブレードにより、未転写トナーがクリーニング部５９内に回収される。
なお、クリーニング部５９で回収されたトナーは、一部をリサイクルトナーとして、不図示のトナーリサイクル搬送経路を経てトナー補給部９０に向けて搬送され、一部を廃トナーとして、不図示の廃トナー搬送経路を経て廃トナーボトル１２２に向けて搬送される。
【００２５】
クリーニング部５９を通過した感光体ドラム５４の表面は、不図示の除電部に達する。除電部において感光体ドラム５４表面の電位は除電され、一連の作像プロセスが終了する。
【００２６】
一方、転写部５８に搬送された記録媒体Ｐは、次のように動作する。
まず、複数の給紙部６１〜６４のうち、１つの給紙部が自動又は手動で選択される（例えば、上段の給紙部６１が選択されたものとする。）。そして、給紙部６１に収納された記録媒体Ｐの１枚が、搬送経路Ｋの位置に向けて搬送される。
搬送経路Ｋを通過した記録媒体Ｐは、レジストローラの位置に達する。そして、レジストローラの位置に達した記録媒体Ｐは、感光体ドラム５４上に形成されたトナー像と位置合わせをするためにタイミングを合わせて、転写位置（転写部５８と感光体ドラム５４との対向位置である。）に向けて搬送される。
そして、転写工程後の記録媒体Ｐは、転写部５８の位置を通過した後に、搬送経路を経て定着部６５に達する。そして、この位置で、記録媒体Ｐ上の未定着トナー像が熱と圧力とによって定着される。その後、定着工程後の記録媒体Ｐは、出力画像として装置本体から排出される。
【００２７】
こうして、一連の画像形成プロセスが完了する。
なお、図１に示す画像形成装置は高速機であって、例えば、記録媒体Ｐの搬送速度（または、感光体ドラム５４の外周面における線速）が６３０ｍｍ／秒程度に設定されている。
【００２８】
図２に、現像装置８０及び像担持体である感光体ドラム５４からなるプロセスカートリッジの構成を示す。
図２に示すように、本実施形態の現像装置は、感光体ドラム５４に対向する２つの現像剤担持体（第１現像ローラ８１、第２現像ローラ８２）を備える。また、現像装置８０内には、トナー及び磁性キャリアからなる二成分現像剤が収容されている。
【００２９】
図２中、符号８３は第１現像ローラ８１に現像剤を供給するパドルローラ、符号８４は撹拌ローラ、符号８５は第１現像ローラ８１に先端部が対向するように配設されたドクターブレード、符号８６は第２現像ローラ８２と現像器ケーシング９４間の開口部、符号８７は感光体ドラム５４に向けて突出して当接する入口シール、符号８８は現像剤を長手方向に撹拌するための非回転部材としての撹拌板、符号８９は現像剤を長手方向に搬送するための搬送スクリュ、符号９０は現像装置８０内にトナーを適宜に補給するためのトナー補給部（トナーホッパ）、符号９５は現像装置８０内を吸気するために現像装置８０の上方に形成された吸気口、符号９６は規制部材としてのフィルタ、符号１００は現像装置８０内に収容された現像剤のトナー濃度を検知するトナー濃度センサ（磁気センサ）をそれぞれ示す。
【００３０】
第１現像ローラ８１は、現像スリーブ２３、及びその中に配置されたマグネットローラ２４で構成され、第２現像ローラ８２は、現像スリーブ２５、及びその内側に配置されたマグネットローラ２６で構成されている。現像スリーブ２３及び２５は、マグネットローラ２４及び２６に対して矢印ｂで示す方向に回転可能に構成されている。
【００３１】
図３に、感光体ドラム５４と現像剤担持体８１及び８２との対向する部分の拡大図を示す。
現像剤担持体８１及び８２を構成するマグネットローラ２４及び２６の内部には、現像剤を保持するために複数の永久磁石Ｍ１〜Ｍ８が放射状に固定されている。
ここで、感光体ドラム５４に対向する第１現像ローラ８１の永久磁石Ｍ１と、第２現像ローラ８２の永久磁石Ｍ６は、主極（または現像磁極）という。
主極である永久磁石Ｍ１及びＭ６は、その磁界によりトナー及び磁性キャリアからなる二成分現像剤を穂立ちさせて磁気ブラシを形成する。該磁気ブラシは、感光体ドラム５４上の潜像を現像する。
現像ローラ８１の主極の永久磁石Ｍ１以外の永久磁石Ｍ２〜Ｍ５、現像ローラ８２の主極の永久磁石Ｍ６以外の永久磁石Ｍ７、Ｍ８は、補助極（または搬送磁極）という。
補助極である永久磁石Ｍ２〜Ｍ５、Ｍ６及びＭ７は、主極部分において磁気ブラシを良好に形成するために利用される。
【００３２】
ケーシング９４には、第１現像ローラ８１及び第２現像ローラ８２を、感光体ドラム５４に対向する部分においてのみ露出させるように開口部８６が形成されている。
また、ケーシング９４は、現像剤担持体８２の前記主極となる永久磁石Ｍ６よりも回転方向下流側位置かつ開口部８６近傍に配置された補助極となる永久磁石Ｍ７と対向する位置に、現像剤担持体８２との間隙長さが異なる段差部４０を有する。
段差部４０により、磁気ブラシとの間には圧力抜き空間（図４において符号４１で表される）が形成されることになり、ケーシング９４の開口部８６に向けて発生する噴出し気流を抑制することができ、最適な吸い込み気流（図４において、矢印２８で表される）を発生することができる。
【００３３】
現像剤は、図２において矢印の方向に回転する撹拌ローラ８４及び搬送スクリュ８９により、また撹拌板８８により回転軸方向（長手方向）に均一に撹拌・混合される。そして、摩擦帯電してキャリアに吸着したトナーが、パドルローラ（供給部材）８３によってキャリアとともに第１現像ローラ８１に供給され、その現像剤が第１現像ローラ８１上に担持される。
このとき、トナー補給部９０内に収容されたトナーが搬送部材９１によって補給ローラ９２の位置に搬送され、補給ローラ９２からスリット板９３に形成された複数の孔部を介して現像装置８０内に適宜にトナーが補給される。
【００３４】
なお、トナー補給部９０内では、トナーボトル１２１より供給されたトナーと、クリーニング部５９で回収されたリサイクルトナーとがあらかじめ定められた条件に基づいて混合され、現像装置８０内に適宜補給される。
【００３５】
第１現像ローラ８１に供給され担持された現像剤は、ドクターブレード８５の位置で適量化された後、感光体ドラム５４との対向位置（第１現像領域）に達する。
対向位置（第１現像領域）を通過した現像剤は、第１現像ローラ８１から第２現像ローラ８２へ移動し、感光体ドラム５４との対向位置（第２現像領域）に達する。
第１現像領域及び第２現像領域において、現像剤中のトナーが感光体ドラム５４表面に形成された静電潜像に付着し、現像装置８０における現像工程が完了する。
【００３６】
なお、現像工程後の第２現像ローラ８２上の現像剤は、第２現像ローラ８２から離脱した後、パドルローラ８３によって撹拌ローラ８４の位置まで搬送される。また、ドクターブレード８５の位置で第１現像ローラ８１から離脱した現像剤は、撹拌板８８及び搬送スクリュ８９によって長手方向に撹拌された後に、撹拌ローラ８４の位置まで搬送される。
【００３７】
図７及び図８に、従来の現像装置におけるケーシングの段差部を含む部分拡大図を示す。
図７に示すように、段差部４０には、磁気ブラシ２９との間には圧力抜き空間４１が形成され、像担持体５４から離れる方向の端部（段差部後端）４３に壁状の段差が形成されている。このような構造により、ケーシング９４の開口部８６に向けて発生する噴出し気流を抑制することができ、最適な吸い込み気流２８を発生することができる。
一方、現像ローラ８２上の現像剤で形成される磁気ブラシ２９中には、弱帯電トナーなどの浮遊トナーが存在し、それらは、吸い込み気流２８と共に現像ユニット内へと導かれる。
しかしながら、段差部後端４３の位置は形状上、浮遊トナーによる堆積物４６が経時で堆積していくこととなる。特にリサイクルトナーを使用した場合は、リサイクルトナー内に含まれる紙粉の影響により堆積物４６が発生しやすくなる。そして、堆積物４６の影響により、図８に示すような乱れた気流２８aとなり、最適な吸い込み気流を発生させることができなくなる。
【００３８】
図４に、本実施形態の現像装置におけるケーシングの段差部を含む部分拡大図を示す。
本実施形態の現像装置は、図４に示すように、段差部４０の像担持体５４から離れる方向の端部に、現像剤担持体８２の回転に対して連れ回り方向に回転する回転部材４５を有する。
【００３９】
浮遊トナーが堆積しやすい段差部後端４３の位置に、現像ローラ８２と連れ回り方向に回転する回転部材４５を設置し、回転部材４５の動作により堆積しようとする浮遊トナーを掻き取り、吸い込み気流２８とともに現像ユニット内へ導くことにより、段差部後端４３における堆積物４６の発生を抑制し、最適な吸い込み気流を継続して発生させることができる。そして、気流の乱れにより発生するトナーやキャリアの飛散を抑制することができる。
【００４０】
回転部材４５は、ブラシローラとしてもよい。
回転部材４５をブラシローラとすることにより、堆積物を掻き取る能力が向上し、段差後端４３の位置に堆積する堆積物４６の増加を抑止でき、最適な吸い込み気流を発生させることができる。
【００４１】
本実施形態の現像装置は、図５（Ａ）に示すように、回転部材４５の回転を制御する制御手段４７を備える。
制御手段４７は、トナー中に含まれるリサイクルトナー率に応じて回転部材４５の回転数を変化させる。
ここで、「リサイクルトナー率」とは、トナー全量に対するリサイクルトナーの配合比率であって、例えば、トナー補給部９０において、前記トナーリサイクル搬送経路を経て搬送されたリサイクルトナーの重量から求められる値である。
本実施形態の画像形成装置においては、所望の画像品質に応じて、適宜リサイクルトナー率を設定することができるものとする。
【００４２】
制御手段４７は、例えば、図５（Ｂ）に示すフローにより制御を行う。
まず、トナー補給部９０に搬送されるリサイクルトナーの量として、リサイクルトナー率を設定する（ステップＳ１）。次いで、設定したリサイクルトナー率に基づき、図６に示すようなリサイクルトナー率テーブルにより、回転部材４５の線速を決定する（ステップＳ２）。そして、制御手段４７に電気的に接続された回転部材４５に対し、線速を制御する（ステップＳ３）。
【００４３】
リサイクルトナー率テーブルの例を図６に示す。
図６に示すように、回転部材４５の制御は、リサイクルトナー率に応じて適宜設定することができる。
例えば、リサイクルトナー率が０％の場合（新規トナーのみからなる場合）は、トナー補給部９０から現像装置８０内へ補給されるトナーには紙粉等の異物の混入がないと考えられるため、回転部材４５を回転させなくてもよい。このため、回転数は０で設定されている。リサイクルトナー率ａが５０％以下である場合、定常の回転数とし、規定の線速で回転させる。一方、リサイクルトナー率が５０％を超えた場合は、回転数を１．５倍とし、規定の線速よりも１．５倍速く回転させることとする。
【００４４】
リサイクルトナー率テーブルは、図６の例に限定されず、さらに細かい段階に応じた回転数制御を設定してもよく、無段階で変化させる設定としてもよい。
【００４５】
上述のように、本実施形態の現像装置は、主極Ｍ１及びＭ６と、補助極Ｍ２〜５、Ｍ７及びＭ８とを構成する複数の永久磁石が内蔵された現像剤担持体８１及び８２を回転させながら、前記主極の磁界によりトナー及びキャリアからなる現像剤で磁気ブラシ２９を形成し、像担持体５４上の潜像を現像する現像装置８０であって、使用されるトナーとして、リサイクルトナーを含む。また、現像剤が収容され、像担持体５４に対向する部分で現像剤担持体８１及び８２を露出させるように開口部８６が形成されたケーシング９４を備え、ケーシング９４は、現像剤担持体８２の主極となる永久磁石Ｍ６よりも回転方向下流側位置かつ開口部８６近傍に配置された補助極となる永久磁石Ｍ７と対向する位置に、現像剤担持体８２との間隙長さが異なる段差部４０を有し、段差部４０の像担持体５４から離れる方向の端部に、現像剤担持体８２の回転に対して連れ回り方向に回転する回転部材４５を有する。
これにより、リサイクルトナーを使用する場合でも、リサイクルトナー内に含まれる紙粉などの異物に起因する浮遊トナーを含む堆積物が段差後端４３の位置に経時で堆積するのを抑止することができ、気流の乱れにより発生するトナーやキャリアの飛散を抑制することができる。
【符号の説明】
【００４６】
２４、２６  マグネットローラ
２３、２５  現像スリーブ
２８        吸い込み気流
２９        磁気ブラシ
４０        段差部
４１        圧抜き空間
４３        段差部後端
４５        回転部材
４６        堆積物
５０        画像形成装置
５４        像担持体（感光体ドラム）
８０        現像装置
８１        現像剤担持体（第１現像ローラ）
８２        現像剤担持体（第２現像ローラ）
８６        開口部
９４        ケーシング
Ｍ１〜Ｍ８  永久磁石
【先行技術文献】
【特許文献】
【００４７】
【特許文献１】特開２００４−２０７７２号公報
【図１】
2014167523.tif 000003
【図２】
2014167523.tif 000004
【図３】
2014167523.tif 000005
【図４】
2014167523.tif 000006
【図５】
2014167523.tif 000007
【図６】
2014167523.tif 000008
【図７】
2014167523.tif 000009
【図８】
2014167523.tif 000010